(57)【要約】【課題】本発明は、高圧カットアウトの一次側と二次側とを確実に電気的に遮断することができる高圧カットアウト用地絡器具を提供することを課題とする。【解決手段】本発明に係る高圧カットアウト用地絡器具１は、細長いヒューズ体４０をその軸方向に沿って収容可能な収容部２１と、該収容部２１の両端側に設けられる一対の電極部２２，２３とを備え、前記ヒューズ体４０が基端部２０ａから装着されるように構成された高圧カットアウト２０に対して用いられる高圧カットアウト用地絡器具１であって、前記高圧カットアウト２０の基端部２０ａから前記収容部２１に装着され、前記一対の電極部２２，２３の少なくともいずれか一方と接触する電極接触部３及び該電極接触部３に電気的に接続される地絡用端子部４を備える器具本体２と、該器具本体２を前記高圧カットアウト２０に対して固定する固定手段５とを備えることを特徴とする。【選択図】図２
2008071640.tif 000002
【特許請求の範囲】
【請求項１】
細長いヒューズ体をその軸方向に沿って収容可能な収容部と、該収容部の両端側に設けられる一対の電極部とを備え、前記ヒューズ体が基端部から装着されるように構成された高圧カットアウトに対して用いられる高圧カットアウト用地絡器具であって、
前記高圧カットアウトの基端部から前記収容部に装着され、前記一対の電極部の少なくともいずれか一方と接触する電極接触部及び該電極接触部に電気的に接続される地絡用端子部を備える器具本体と、該器具本体を前記高圧カットアウトに対して固定する固定手段とを備えることを特徴とする高圧カットアウト用地絡器具。
【請求項２】
前記固定手段は、前記器具本体を操作することによって変形して前記収容部の内壁に圧接する弾性体であることを特徴とする請求項１に記載の高圧カットアウト用地絡器具。
【請求項３】
前記器具本体は、前記高圧カットアウトに対して相対変位しないように規制する規制手段を有する筒状体と、該筒状体の内部に挿通された状態で筒状体と螺合し、且つ、該筒状体から突出する先端側にストッパー部を有する棒状体とを備えるとともに、
前記弾性体は、前記筒状体と棒状体のストッパー部との間に配置され、
前記棒状体を回転操作すると、前記弾性体が前記筒状体及びストッパー部によって圧縮されて変形することを特徴とする請求項２に記載の高圧カットアウト用地絡器具。
【請求項４】
細長いヒューズ体の軸方向に沿って配置される一対のヒューズ体端子と接触する一対の電極部が設けられる高圧カットアウト本体と、前記ヒューズ体を保持する保持部を有し且つ前記高圧カットアウト本体に対して開閉可能に取り付けられる蓋体とを備え、該蓋体の閉塞状態で前記ヒューズ体の端子が前記電極部と接触するように位置設定される高圧カットアウトに対して用いられる高圧カットアウト用地絡器具であって、
前記蓋体の保持部に保持される本体部と、前記蓋体の閉塞状態で前記一対の電極部の少なくともいずれか一方のみと接触する電極接触部と、該電極接触部に電気的に接続される地絡用端子部とを備えることを特徴とする高圧カットアウト用地絡器具。
【請求項５】
前記一対の電極部がヒューズ体の軸方向側方に突出する一対のヒューズ体端子を挟持可能に構成される高圧カットアウトに対して用いられる高圧カットアウト用地絡器具であって、
前記電極接触部は、前記本体部から突出する端子として構成され、前記一対の電極部のいずれか一方に挟持されるとともに、
前記本体部に連設され、前記一対の電極部の他方に挟持される突起をさらに備えることを特徴とする請求項４に記載の高圧カットアウト用地絡器具。
【発明の詳細な説明】
【技術分野】
【０００１】
本発明は、高圧カットアウトの一次側と二次側とを確実に電気的に遮断すべく用いられる高圧カットアウト用地絡器具に関する。
【背景技術】
【０００２】
一般に、高圧電力の配線系を構成する一次側線及び二次側線は、高圧カットアウトを介して電気的に接続されており、高圧カットアウトは、例えば過電流が流れた場合などに、二次側に接続される変圧器等を保護すべく機能する。
【０００３】
かかる高圧カットアウトの一つに、一般に円筒型と呼ばれるものがあり、この高圧カットアウト２０は、図１に示すように、細長いヒューズ体４０をその軸方向に沿って収容可能な収容部２１と、該収容部２１の両端側に設けられる一対の電極部２２，２３とを備え、前記ヒューズ体４０が基端部から装着されるように構成される。また、高圧カットアウト２０の基端部には、前記ヒューズ体４０を出し入れする開口部２４が形成され、さらに、前記開口部２４を閉塞する蓋体２５が備えられる。ところで、かかる高圧カットアウト２０は、高い絶縁性を確保すべく、例えば陶磁器等の絶縁素材によって形成されるものである。
【０００４】
また、高圧カットアウトとしては、図１に示す円筒型のもの以外にも、図５に示すように、一般に箱型と呼ばれるものもあり、この高圧カットアウト７０は、細長いヒューズ体９０の軸方向に沿って配置される一対のヒューズ体端子９２，９３と接触する一対の電極部７２，７３が設けられる高圧カットアウト本体７１と、前記ヒューズ体９０を保持する保持部７５を有し且つ前記高圧カットアウト本体７１に対して開閉可能に取り付けられる蓋体７４とを備え、該蓋体７４の閉塞状態で前記ヒューズ体９０の各ヒューズ体端子９２，９３が前記各電極部７２，７３と接触するように位置設定されるものである。
【０００５】
これら高圧カットアウト２０，７０においては、一対の電極部２２，２３若しくは７２，７３間を繋ぐのはヒューズ体４０，９０のみであるため、ヒューズ体４０，９０を取り外せば、理論上一次側線と二次側線とを電気的に遮断することができる。そして、例えば二次側の変圧器が故障した場合などには、ヒューズ体４０，９０を取り外して一次側線と二次側線とを電気的に遮断した後、変圧器の修理や取り替えといった作業が行われる。
【発明の開示】
【発明が解決しようとする課題】
【０００６】
しかしながら、前記ヒューズ体を取り外したとしても、前記一対の電極部同士は物理的には繋がったままであるため、何らかの要因で電気的に接続（即ち、短絡）してしまう場合がある。具体的に例を挙げると、高圧カットアウトは、温度変化や塩害など、設置される周囲環境の影響を受けて損傷する場合があり、例えば、高圧カットアウトにひび割れなどが発生してそこに雨水が入り込むなどすると、ヒューズ体の有無にかかわらず一対の電極部が電気的に接続され得る状態となる。この場合には、ヒューズ体が外されていることで電気的に遮断されたと一見思われ得るため、作業上好ましくない。また、実際に電気的に遮断できているか否かにかかわらず、単にヒューズ体を外す以上に積極的に手段を講じないのでは、作業者は常に不安を解消することができない。
【０００７】
そこで、本発明は、高圧カットアウトの一次側と二次側とを確実に電気的に遮断することができる高圧カットアウト用地絡器具を提供することを目的とする。
【課題を解決するための手段】
【０００８】
本発明に係る高圧カットアウト用地絡器具は、細長いヒューズ体をその軸方向に沿って収容可能な収容部と、該収容部の両端側に設けられる一対の電極部とを備え、前記ヒューズ体が基端部から装着されるように構成された高圧カットアウトに対して用いられる高圧カットアウト用地絡器具であって、前記高圧カットアウトの基端部から前記収容部に装着され、前記一対の電極部の少なくともいずれか一方と接触する電極接触部及び該電極接触部に電気的に接続される地絡用端子部を備える器具本体と、該器具本体を前記高圧カットアウトに対して固定する固定手段とを備えることを特徴とする。
【０００９】
上記構成からなる高圧カットアウト用地絡器具によれば、該高圧カットアウト用地絡器具の地絡用端子部に地絡用の線を接続しつつ、前記収容部に高圧カットアウト用地絡器具を装着すると、仮に一次側と二次側とが何らかの原因で通電し得る状態となっていたとしても、電気は高圧カットアウト用地絡器具を介して容易に地絡されるため、二次側へ向けて電気が流れることが好適に防止されることとなる。
【００１０】
また、上記高圧カットアウト用地絡器具においては、前記固定手段は、前記器具本体を操作することによって変形して前記収容部の内壁に圧接する弾性体である構成が好ましい。このようにすれば、高圧カットアウトの収容部に高圧カットアウト用地絡器具を挿入する際には弾性体を小さくしておき、適当な挿入位置で弾性体を変形させることにより、高圧カットアウト用地絡器具を容易に装着できつつも、確実に固定することができる。
【００１１】
さらに、上記高圧カットアウト用地絡器具においては、前記器具本体は、前記高圧カットアウトに対して相対変位しないように規制する規制手段を有する筒状体と、該筒状体の内部に挿通された状態で筒状体と螺合し、且つ、該筒状体から突出する先端側にストッパー部を有する棒状体とを備えるとともに、前記弾性体は、前記筒状体と棒状体のストッパー部との間に配置され、前記棒状体を回転操作すると、前記弾性体が前記筒状体及びストッパー部によって圧縮されて変形する構成が好ましい。
【００１２】
また、本発明に係る高圧カットアウト用地絡器具は、細長いヒューズ体の軸方向に沿って配置される一対のヒューズ体端子と接触する一対の電極部が設けられる高圧カットアウト本体と、前記ヒューズ体を保持する保持部を有し且つ前記高圧カットアウト本体に対して開閉可能に取り付けられる蓋体とを備え、該蓋体の閉塞状態で前記ヒューズ体の端子が前記電極部と接触するように位置設定される高圧カットアウトに対して用いられる高圧カットアウト用地絡器具であって、前記蓋体の保持部に保持される本体部と、前記蓋体の閉塞状態で前記一対の電極部の少なくともいずれか一方のみと接触する電極接触部と、該電極接触部に電気的に接続される地絡用端子部とを備えることを特徴とする。
【００１３】
上記構成からなる高圧カットアウト用地絡器具によれば、該高圧カットアウト用地絡器具の地絡用端子に地絡用の線を接続しつつ、蓋体に設けられる保持部に高圧カットアウト用地絡器具を保持させて該蓋体を閉塞すると、仮に一次側と二次側とが何らかの原因で通電し得る状態となっていたとしても、電気は高圧カットアウト用地絡器具を介して用意に地絡されるため、二次側へ向けて電気が流れることが好適に防止されることとなる。また、蓋体を閉塞した状態で装着されるので、高圧カットアウト用地絡器具が高圧カットアウトから脱落するのを確実に防止することができる。
【００１４】
この場合、高圧カットアウト用地絡器具は、前記一対の電極部がヒューズ体の軸方向側方に突出する一対のヒューズ体端子を挟持可能に構成される高圧カットアウトに対して用いられるものであって、前記電極接触部は、前記本体部から突出する端子として構成され、前記一対の電極部のいずれか一方に挟持されるとともに、前記本体部に連設され、前記一対の電極部の他方に挟持される突起をさらに備える構成が好ましい。このようにすれば、前記一対の電極部のそれぞれに端子若しくは突起が保持されることにより、高圧カットアウト用地絡器具を高圧カットアウトに対して安定な状態で装着することができる。
【発明の効果】
【００１５】
以上のように、本発明によれば、高圧カットアウトの一次側と二次側とを確実に電気的に遮断することができる。また、地絡されていることを作業者が視覚的に把握することができるため、作業者に安心感を与えることもできる。
【発明を実施するための最良の形態】
【００１６】
以下に、本発明に係る高圧カットアウト用地絡器具の実施形態について、図面に基づいて説明する。
【００１７】
＜第一実施形態＞
第一実施形態に係る高圧カットアウト用地絡器具１（図２参照）は、図１に示すような一般に円筒型と呼ばれる高圧カットアウト２０に対して用いられるものである。
【００１８】
高圧カットアウト用地絡器具１についての説明に先立って、対象とする高圧カットアウト２０及び該高圧カットアウト２０に装着されるヒューズ体４０について説明する。まず、ヒューズ体４０は、細長い円筒形状を有し、両端側に一対の端子（ヒューズ体端子）４２，４３を備え、基端側には先端側よりも大径なフランジ状の膨径部４４が形成される。基端側のヒューズ体端子４３は、前記膨径部４４に設けられる。
【００１９】
次に、かかるヒューズ体４０が装着される高圧カットアウト２０は、高圧電力の配電線に接続される一次側の電線（一次側線）Ｃ１と、変圧器（図示しない）に至る二次側の電線（二次側線）Ｃ２とを接続し、非常時に二次側線Ｃ２への送電を遮断する保護装置であり、細長いヒューズ体４０をその軸方向に沿って収容可能な収容部２１と、該収容部２１の両端側に設けられる一対の電極部２２，２３とを備え、前記ヒューズ体４０が基端部２０ａから装着されるように構成される。また、高圧カットアウト２０の基端部２０ａには、前記ヒューズ体４０を出し入れする開口部２４が形成され、さらに、該開口部２４を閉塞する蓋体２５が備えられる。ところで、かかる高圧カットアウト２０は、高い絶縁性を確保すべく、例えば陶磁器等の絶縁素材によって形成されるものである。
【００２０】
前記収容部２１は、ヒューズ体４０が装着されるヒューズ体空間２１ａと、該ヒューズ体空間２１ａに連通し、前記蓋体２５が嵌まり込む蓋体空間２１ｂとを備えて構成される。前記ヒューズ体空間２１ａは、ヒューズ体４０の形状に対応して形成されており、基端側が先端側よりも拡開した形状を有する。即ち、ヒューズ体空間２１ａの一端部には、ヒューズ体４０の一端部に形成される膨径部４４を受け止める段差部２６が設けられている。
【００２１】
そして、前記一対の電極部２２，２３は、ヒューズ体４０が奥方まで押し込まれた状態で、ヒューズ体４０の各ヒューズ体端子４２，４３と各電極部２２，２３同士が互いに接触するように位置設定される。まず、前記一対の電極部２２，２３のうち、先端側に位置する一次側の電極部２２は、前記ヒューズ体空間２１ａの先端側の端面に設けられる。ただし、一次側の電極部２２が配置される位置は、装着されるヒューズ体４０に対応して変更され、高圧カットアウトによっては、前記ヒューズ体空間２１ａの先端部における周壁に設けられるものも存在する。
【００２２】
また、基端側に位置する二次側の電極部２３は、前記収容部２１の内壁における所定部位から収容部２１の軸中心に向かって突出する電極端子２３ａとして構成され、装着状態においては、該二次側の電極部２３は、前記ヒューズ体４０の基端側に形成される膨径部４４に接触する。ところで、該二次側の電極部２３は、導体（リード線）２３ｂによって前記二次側線Ｃ２に接続されている。
【００２３】
本実施形態に係る高圧カットアウト用地絡器具１は、上述のような高圧カットアウト２０に用いられるものであり、図２に示すように、前記高圧カットアウト２０の基端部から前記収容部２１に装着され、前記一対の電極部２２，２３の少なくともいずれか一方と接触する電極接触部３及び該電極接触部３に電気的に接続される地絡用端子部４を備える器具本体２と、該器具本体２を前記高圧カットアウト２０に対して固定する固定手段５とを備える。
【００２４】
前記器具本体２は、前記高圧カットアウト２０のヒューズ体空間２１ａに挿入される先端部１ａが該ヒューズ体空間２１ａよりも小さく形成される。該器具本体２は、その先端が前記高圧カットアウト２０の一次側の電極部２２に接触しない位置において、抜け止め状態で固定される。
【００２５】
前記固定手段５は、前記器具本体２を高圧カットアウト２０の内側から固定する。具体的には、前記固定手段５は、前記器具本体２を操作することによって変形して前記収容部２１の内壁に圧接する弾性体６によって構成される。該弾性体６は、前記ヒューズ体空間２１ａにおける前記収容部２１の内壁に圧接する。なお、前記弾性体６は、ゴム等の変形自在な部材によって構成され、器具本体２の操作により器具本体２の軸方向に直交する平面に沿う方向に膨張する。また、前記弾性体６は、絶縁性の高いものであることが好ましい。
【００２６】
より詳細に説明すると、前記器具本体２は、高圧カットアウト２０に対して相対変位しないように規制する規制手段８を有する筒状体７と、該筒状体７の内部に挿通された状態で筒状体７と螺合し、且つ、該筒状体７から突出する先端側にストッパー部１０を有する棒状体９とを備える。また、前記弾性体６は、前記筒状体７と棒状体９のストッパー部１０との間に配置される。さらに、前記筒状体７は内周面に雌ネジが形成され、前記棒状体９は外周面に雄ネジが形成される。しかも、それら雌ネジ及び雄ネジは、逆ネジとされる。
【００２７】
前記筒状体７は、径方向外方に延出するフランジ状の部位（フランジ部）１１を軸方向の所定箇所に有する。筒状体７は、導電性を有する例えばステンレス等の素材によって形成される。
【００２８】
該フランジ部１１は、前記高圧カットアウト２０に相対変位不能となるように当接するとともに、前記二次側の電極部２３に接触する部位であり、即ち、前記規制手段８として機能するとともに、電極接触部３として機能する。まず、規制手段８として機能する構成について説明すると、前記フランジ部１１は、前記ヒューズ体空間２１ａの段差部２６に対して当接可能な大きさに形成され、該段差部２６との当接部分には、ゴム等の滑り止め部材が配置される。これにより、規制手段８を段差部２６に押し当てつつ前記棒状体９を回転させた際に、筒状体７が確実に回り止めされる。また、フランジ部１１の外周面は、導電性を有し、前記高圧カットアウト２０の二次側の電極部２３と接触する。
【００２９】
前記棒状体９の先端側に形成されるストッパー部１０は、棒状体９の他の部位よりも大きな形状を有する膨大部として形成され、具体的には棒状体９の他の部位よりも大径に形成される。なお、ストッパー部１０の形状としては、前記弾性体６と干渉し得るように構成されるものであれば、かかる形状に限定されるものではない。
【００３０】
前記筒状体７及び棒状体９がこのように構成される結果、筒状体７と棒状体９のストッパー部１０との間には、筒状体７の先端部７ａ及びストッパー部１０を両側に有する太さの細い領域が存在し、かかる領域に前記弾性体６が配置される。従って、棒状体９を回転操作すると、前記筒状体７の先端部７ａとストッパー部１０とが接近し、それらの間に挟まれる弾性体６が圧縮されることとなる。ところで、前記ストッパー部１０は、前記弾性体６の脱落を防止する部位としても機能する。なお、前記弾性体６は、前記ストッパー部１０と筒状体７との間において、前記棒状体９から脱落しない程度に保持されるものであるが、前記ストッパー部１０若しくは筒状体７に固定されるものであってもよい。
【００３１】
また、前記棒状体９は、基端部に任意の回転操作棒（一般に「共用操作棒」と呼ばれる）と接続されるアダプター部１２を備える。
【００３２】
前記地絡用端子部４は、基体４ａと該基体４ａの端部に取り付けられたボルト等の締結具４ｂとを備えて構成され、前記基体４ａと締結具４ｂ（ボルトの頭部）との間に地絡用の線Ｌが接続されるものである。具体的には、前記基体４ａとは、折曲する板状体である。
【００３３】
ところで、図３を用いて、前記地絡用端子部４に取り付けられる地絡用の線Ｌの構成について説明する。該地絡用の線Ｌの一端部には、接続用端子Ｌａが取り付けられている。該接続用端子Ｌａは、前記地絡用端子部４の締結具４ｂに係合させるべく、一端縁から中心に向けて切欠が形成された板状体である。さらに、地絡用の線の他端部には、例えば地面に打ち込まれた接地棒等（図示しない）に接続されるべく、挟持部材Ｌｂが取り付けられている。なお、これら地絡用の線Ｌは、一般に間接活線作業の際などに利用されるものである。
【００３４】
次に、本実施形態に係る高圧カットアウト用地絡器具１の使用態様について説明する。なお、ヒューズ体４０の着脱は公知の方法で行うことができるため、それについては説明を省略し、また、以下においては、既にヒューズ体４０が取り外された状態から説明を行うこととする。
【００３５】
まず、前記高圧カットアウト用地絡器具１の地絡用端子部４に地絡用の線Ｌを接続し、該高圧カットアウト用地絡器具１が地面に地絡（アース）された状態とする。
【００３６】
次に、高圧カットアウト用地絡器具１を前記高圧カットアウト２０の開口部２５から挿入し（図４（Ａ）参照）、前記フランジ部１１を前記段差部２６に当接させる（図４（Ｂ）参照）。すると、前記ヒューズ体空間２１ａの中に高圧カットアウト用地絡器具１の先端部１ａ（即ち、ストッパー部１０、弾性体６、筒状体７の先端部７ａ）が位置する状態となる。この状態で、高圧カットアウト用地絡器具１の器具本体２の前記筒状体７が高圧カットアウト２０に対して相対回転しないように前記フランジ部１１を前記段差部２６に押し当てつつ、前記棒状体９を順方向（反時計回り）に回転させる（図４（Ｃ）参照）。すると、逆ネジが形成されていることにより、前記ストッパー部１０が回転に伴って前記筒状体７に接近する。この際、前記弾性体６は、筒状体７及び棒状体９によって該棒状体９の軸方向に沿って圧縮され、該軸方向に直交する平面に沿う方向に膨張し、前記収容部２１の内周面に接触する状態に変形する（図４（Ｄ）参照）。従って、該弾性体６の復元力によって前記器具本体２は高圧カットアウト２０に抜け止め状態で固定されることとなる。
【００３７】
以上のように、上記実施形態に係る高圧カットアウト用地絡器具１によれば、該高圧カットアウト用地絡器具１の地絡用端子部４に地絡用の線Ｌを接続しつつ、前記収容部２１に高圧カットアウト用地絡器具１を装着すると、仮に一次側と二次側とが何らかの原因で通電し得る状態となっていたとしても、電気は高圧カットアウト用地絡器具１を介して容易に地絡されるため、二次側へ向けて電気が流れる（リード線２３ｂが充電される）ことが好適に防止されることとなる。従って、高圧カットアウト２０の一次側と二次側とを確実に電気的に遮断することができる。しかも、地絡されていることを作業者が視覚的に把握することができるため、作業者に安心感を与えることもできる。
【００３８】
また、前記固定手段５が、前記器具本体２を操作することによって変形して高圧カットアウト２０の収容部２１の内壁に圧接する弾性体６であるため、収容部２１に高圧カットアウト用地絡器具１を挿入する際には弾性体６を小さくしておき、適当な挿入位置で弾性体を変形させることにより、高圧カットアウト用地絡器具１を容易に装着できつつも、確実に固定することができる。
【００３９】
しかも、前記筒状体７及び棒状体９に形成される雌ネジ及び雄ネジは、逆ネジとされるため、一般的な工具を使用する場合と同様の感覚で前記棒状体９を順方向（反時計回り）に回転操作すれば、前記弾性体６を変形させて器具本体２を容易に固定することができる。
【００４０】
なお、本発明に係る高圧カットアウト用地絡器具は、かかる第一実施形態に限定されるものではなく、本発明の要旨を逸脱しない範囲で種々の変更が可能である。
【００４１】
例えば、本発明に係る高圧カットアウト用地絡器具は、二次側の電極部２３が収容部２１の内壁における所定部位から収容部２１の中心に向かって突出する電極端子３ａとして構成されるタイプの円筒型の高圧カットアウト２０に対してだけでなく、異なる種類の円筒型の高圧カットアウトに対しても用いることができる。例えば、段差部自体が二次側の電極部として設けられるタイプの高圧カットアウトにも用いることができる。その場合には、高圧カットアウト用地絡器具は、前記段差部に設けられた二次側の電極部に接触するように器具本体の任意の箇所から突出する接触端子が設けられる。その一例としては、前記突出する接触端子は、フランジ部から突出し、接触状態を好適に維持可能なように、二次側の電極部に対して付勢状態で接触する付勢体（より具体的には、板バネ等）として設けられる構成が考えられる。
【００４２】
また、上記第一実施形態においては、前記電極接触部３は、前記二次側の電極部２３に接触するものとして説明したが、これに限定されるものではなく、一次側の電極部２２に接触するように構成されるものであってもよい。
【００４３】
また、上記第一実施形態においては、固定手段５が前記高圧カットアウト２０の収容部２１の内壁に圧接する弾性体６であるとして説明したが、器具本体を前記高圧カットアウトに対して固定するものであればこれに限定されるものではなく、例えば高圧カットアウトの外側から固定するもの等であってもよい。また、前記固定手段は、高圧カットアウト用地絡器具が高圧カットアウトから抜け落ちるのを防止することができるものであればよく、例えば、前記蓋体空間における前記収容部の内壁に圧接するものであってもよい。
【００４４】
＜第二実施形態＞
第二実施形態に係る高圧カットアウト用地絡器具５０（図６参照）は、図５に示すように、一般に箱型と呼ばれる高圧カットアウト７０に対して用いられるものである。
【００４５】
高圧カットアウト用地絡器具５０についての説明に先立って、対象とする高圧カットアウト７０及び該高圧カットアウト７０に装着されるヒューズ体９０について説明する。まず、ヒューズ体９０は、細長い円筒形状の筒状体９１と、該筒状体９１の軸方向に沿って配置され、該筒状体９１から側方に突出する態様の一対の端子（ヒューズ体端子）９２，９３とを備える。
【００４６】
次に、かかるヒューズ体９０が装着される高圧カットアウト７０は、高圧電力の配電線に接続される一次側の電線（一次側線）と、変圧器（図示しない）に至る二次側の電線（二次側線）とを接続し、非常時に二次側線への送電を遮断する保護装置であり、前記ヒューズ体端子９２，９３と接触する一対の電極部７２，７３が設けられる高圧カットアウト本体７１と、前記ヒューズ体９０を保持する保持部７５を有し且つ前記高圧カットアウト本体７１に対して開閉可能に取り付けられる蓋体７４とを備える。該蓋体７４は、前記高圧カットアウト本体７１にヒンジ７６を介して連結されており、該蓋体７４の閉塞状態で前記ヒューズ体端子９２，９３が前記電極部７２，７３と接触するように位置設定される。
【００４７】
また、前記保持部７５は、前記ヒューズ体９０のうち、二次側のヒューズ体端子９３が設けられる箇所から二次側のヒューズ体端子９３に近い方の端部（基端部）９１ａにかけての任意の部位を少なくとも保持するように位置設定される。さらに、高圧カットアウト７０には、装着されるヒューズ体９０の軸線と交差する壁部のうち前記ヒンジ７６側の部位に開口部７７が形成されており、装着されるヒューズ体９０の基端部９１ａが突出する態様となる。ところで、かかる高圧カットアウト７０は、高い絶縁性を確保すべく、例えば陶磁器等の絶縁素材によって形成されるものである。
【００４８】
具体的には、前記一対の電極部７２，７３は、前記ヒューズ体９０の軸方向側方に突出する一対のヒューズ体端子９２，９３を挟持可能に構成される。前記各電極部７２，７３は、内部に電極端子が配置される挿入孔の形態を有する。
【００４９】
本実施形態に係る高圧カットアウト用地絡器具５０は、上述のような高圧カットアウト７０に用いられるものであり、図６に示すように、前記蓋体７４の保持部７５に保持される本体部５１と、前記蓋体７４の閉塞状態で前記一対の電極部７２，７３の少なくともいずれか一方のみと接触する電極接触部５２と、該電極接触部５２に電気的に接続される地絡用端子部５４とを備える。具体的には、該電極接触部５２は、前記二次側の電極部７３と接触する。
【００５０】
前記本体部５１は、前記蓋体７４の保持部７５によって保持される部位であり、具体的には細長い棒状体である。該本体部５１は、前記蓋体７４のヒンジ７６に近い方の端部（基端部）７０ａから前記高圧カットアウト本体７１の二次側の電極部７３に対応する部位に至る長さを少なくとも有する。より具体的には、本体部５１は、前記基端部７０ａから前記高圧カットアウト本体７１の一次側の電極部７２に対応する部位に至る長さを有する。
【００５１】
前記電極接触部５２は、前記棒状を有する本体部５１から軸方向側方に突出する態様で設けられる。具体的には、電極接触部５２は、前記電極部７３に挿入されて挟持される突起状の端子であり、金属プレートによって構成される。
【００５２】
また、高圧カットアウト用地絡器具５０には、前記本体部５１に連設され、前記一次側の電極部７２の他方に挟持される突起（安定用突起）５３が備えられる。具体的には、該安定用突起５３は、前記本体部５１における前記高圧カットアウト本体７１の一次側の電極部７２に対応する部位から突出する。即ち、安定用突起５３は、前記電極接触部５２とは前記棒状を有する本体部５１に対して軸心方向に間隔を置いて設けられる。
【００５３】
前記地絡用端子部５４は、前記本体部５１の基端部５１ａに設けられ、前記高圧カットアウト７０に装着された状態において、前記高圧カットアウト７０の開口部７７から外方に突出する態様となる。具体的には、前記地絡用端子部５４は、基体５４ａと該基体５４ａの端部に取り付けられたボルト等の締結具５４ｂとを備えて構成され、前記基体５４ａと締結具５４ｂ（ボルトの頭部）との間に地絡用の線Ｌが接続されるものである。また、前記本体部５１と前記基体５４ａとは、ボルト等の締結具５４ｃによって取り付けられる。
【００５４】
また、前記本体部５１は、基端部５１ａから前記高圧カットアウト本体７１の二次側の電極部７３に対応する部位（電極接触部５２の突出部位）５２ａまでが導電性の素材によって形成され、これによって前記電極接触部５２と前記地絡用端子部５４とが電気的に接続される。
【００５５】
一方、前記高圧カットアウト用地絡器具５０の装着状態においては、一対の電極部７２，７３にそれぞれ前記電極接触部５２及び安定用突起５３が挿入される状態となるため、一対の電極部７２，７３の間は確実に絶縁される必要がある。そのため、前記電極接触部５２と安定用突起５３との間には、絶縁体によって構成される絶縁部５５が設けられる。具体的には、前記電極接触部５２の突出部位５２ａから一次側の電極部７２に対応する部位（安定用突起５３の突出部位）５３ａにかけての領域が絶縁部５５とされる。なお、前記安定用突起５３が絶縁体によって構成されるものであってもよい。
【００５６】
図７に、第二実施形態に係る高圧カットアウト用地絡器具を高圧カットアウトに装着した状態を示す。なお、本実施形態に係る高圧カットアウト用地絡器具５０は、前記第一実施形態に係る高圧カットアウト用地絡器具１に対して用いられたものと同様の地絡用の線Ｌ（図３参照）を用いて地絡される。また、高圧カットアウト用地絡器具５０の着脱は、従来の高圧カットアウト７０用のヒューズ体９０の着脱と同様の方法により行われる。
【００５７】
以上のように、上記第二実施形態に係る高圧カットアウト用地絡器具５０によれば、該高圧カットアウト用地絡器具５０の地絡用端子部５４に地絡用の線Ｌを接続しつつ、蓋体７４に設けられる保持部７５に高圧カットアウト用地絡器具５０を保持させて該蓋体７４を閉塞すると、仮に一次側と二次側とが何らかの原因で通電し得る状態となっていたとしても、電気は高圧カットアウト用地絡器具５０を介して容易に地絡されるため、二次側へ向けて電気が流れることが好適に防止されることとなる。従って、高圧カットアウト７０の一次側と二次側とを確実に電気的に遮断することができる。
【００５８】
また、高圧カットアウト用地絡器具５０が蓋体７４を閉塞した状態で装着されるので、高圧カットアウト７０から脱落するのを確実に防止することができる。しかも、地絡されていることを作業者が視覚的に把握することができるため、作業者に安心感を与えることもできる。
【００５９】
また、高圧カットアウト用地絡器具５０には、前記一次側の電極部７２に挟持される安定用突起５３が備えられるため、高圧カットアウト用地絡器具５０を高圧カットアウト７０に対してより安定な状態で装着することができる。
【００６０】
なお、本発明に係る高圧カットアウト用地絡器具は、かかる第二実施形態に限定されるものではなく、本発明の要旨を逸脱しない範囲で種々の変更が可能である。
【００６１】
例えば、上記第二実施形態においては、前記安定用突起５３を備えるものとして説明したが、これは必須の部材ではなく、安定用突起が備えられないものであってもよい。
【００６２】
また、前記電極接触部５２と前記地絡用端子部５４とが電気的に接続されるものであればよく、本体部自体を導電性のものとせずとも、前記電極接触部５２と前記地絡用端子部５４とを導電線によって接続するものであってもよい。
【００６３】
また、上記第二実施形態においては、前記電極接触部５２は、前記二次側の電極部７３に接触するものとして説明したが、これに限定されるものではなく、一次側の電極部７２に接触するものであってもよい。
【図面の簡単な説明】
【００６４】
【図１】円筒型の高圧カットアウトと、該高圧カットアウトに装着されるヒューズ体を示す。
【図２】本発明の第一実施形態に係る高圧カットアウト用地絡器具を示す。
【図３】高圧カットアウト用地絡器具の地絡用端子部に取り付けられる地絡用の線を示す。
【図４】本実施形態に係る高圧カットアウト用地絡器具の使用態様を示す。
【図５】箱型の高圧カットアウトと、該高圧カットアウトに装着されるヒューズ体を示す。
【図６】本発明の第二実施形態に係る高圧カットアウト用地絡器具を示す。
【図７】本実施形態に係る高圧カットアウト用地絡器具を高圧カットアウトに装着した状態を示す。
【符号の説明】
【００６５】
１…高圧カットアウト用地絡器具、１ａ…先端部、２…器具本体、３…電極接触部、３ａ…電極端子、４…地絡用端子部、４ａ…基体、４ｂ…締結具、５…固定手段、６…弾性体、７…筒状体、７ａ…先端部、８…規制手段、９…棒状体、１０…ストッパー部、１１…フランジ部、１２…アダプター部、２０…高圧カットアウト、２０ａ…基端部、２１…収容部、２１ａ…ヒューズ体空間、２１ｂ…蓋体空間、２２…一次側の電極部、２３…二次側の電極部、２３ａ…電極端子、２３ｂ…リード線、２４…開口部、２５…蓋体、２５…開口部、２６…段差部、４０…ヒューズ体、４２，４３…ヒューズ体端子、４４…膨径部、５０…高圧カットアウト用地絡器具、５１…本体部、５１ａ…基端部、５２…電極接触部、５２ａ…突出部位、５３…電極部、５３…安定用突起、５４…地絡用端子部、５４ａ…基体、５４ｂ…締結具、５４ｃ…締結具、５５…絶縁部、７０…高圧カットアウト、７０ａ…基端部、７１…高圧カットアウト本体、７２…一次側の電極部、７３…二次側の電極部、７４…蓋体、７５…保持部、７６…ヒンジ、７７…開口部、９０…ヒューズ体、９１…筒状体、９１ａ…基端部、９２，９３…ヒューズ体端子、Ｃ１…一次側線、Ｃ２…二次側線、Ｌ…地絡用の線、Ｌａ…接続用端子、Ｌｂ…挟持部材
【図１】
2008071640.tif 000003
【図２】
2008071640.tif 000004
【図３】
2008071640.tif 000005
【図４】
2008071640.tif 000006
【図５】
2008071640.tif 000007
【図６】
2008071640.tif 000008
【図７】
2008071640.tif 000009